(57)【要約】【課題】農業従事者の中腰に係る作業負担を軽減することができ、追肥作業を効率的に行うことができる施肥装置を提供する。【解決手段】本体パイプ１１と、本体パイプ１１の下端から突出し上下方向に移動可能な先端円錐部１９と、本体パイプ１１の上端に形成された手動操作ハンドル１７と、本体パイプ１９に取り付けられた粉末肥料５１の肥料タンク１６と、肥料タンク１６に接続された肥料パイプ１３と、肥料パイプ１３を通過する粉末肥料の施肥量を調節する流量調節弁１２を備えており、手動操作ハンドル１７の操作により先端円錐部１９と本体パイプ１１との間に粉末肥料５１が通過する間隙３４が形成され、同時に、流量調節弁１２による粉末肥料の施肥量の調節が行われて、先端円錐部１９により形成される追肥用円錐穴６１の表面に先端円錐部１９と本体パイプ１１との間の間隙３４を介して必要量の粉末肥料５１が施肥される。【選択図】図１
2014230496.tif 000002
【特許請求の範囲】
【請求項１】
本体パイプと、前記本体パイプの下端から突出し、上下方向に移動可能な先端円錐部と、前記本体パイプの上端に形成された手動操作ハンドルと、前記本体パイプに取り付けられた粉末肥料の肥料タンクと、前記肥料タンクに接続された肥料パイプと、前記肥料パイプを通過する前記粉末肥料の施肥量を調節する流量調節弁を備えており、
前記手動操作ハンドルの操作により、前記先端円錐部と前記本体パイプとの間に前記粉末肥料が通過する間隙が形成され、同時に、前記流量調節弁による前記粉末肥料の施肥量の調節が行われて、前記先端円錐部により形成される追肥用円錐穴の表面に、前記先端円錐部と前記本体パイプとの間の前記間隙を介して、必要量の粉末肥料が施肥されることを特徴とする施肥装置。
【請求項２】
請求項１に記載の施肥装置において、
前記手動操作ハンドルは、手で把持する把持部と、指先で引き上げ操作する操作レバーとを備えており、前記操作レバーと前記先端円錐部は、前記本体パイプ内で連結棒により連結されており、前記本体パイプ内のバネ部により、前記操作レバーと前記先端円錐部は、前記本体パイプの先端方向に付勢されており、追肥用円錐穴の形成時には、前記先端円錐部の表面と前記本体パイプの先端の内面が密着して、円錐形状の先端部となっていることを特徴とする施肥装置。
【請求項３】
請求項１に記載の施肥装置において、
前記流量調節弁による前記粉末肥料の施肥量の調節のために、１対のワイヤと調整レバーを備えたストローク変換部を備えており、前記調整レバーに接続された上方のワイヤは、前記本体パイプの側面に設けられたワイヤ開口部を通って前記連結棒に接続され、前記調整レバーに接続された下方のワイヤは、前記流量調節弁から延長された流量調節レバーに接続されており、前記操作レバーの操作量と前記流量調節弁による前記粉末肥料の施肥量とを調節可能であることを特徴とする施肥装置。
【発明の詳細な説明】
【技術分野】
【０００１】
本発明は施肥装置に関し、特に、野菜・花卉全般の株元に追肥する装置に関する。
【背景技術】
【０００２】
本技術分野の背景技術としては、特開平９−２８１３８号公報（特許文献１）がある。この公報には、土中への穴空けと施肥作業を能率的に行う施肥具及びそれに用いる肥料供給タンク装置」が記載されている。
【０００３】
また、非特許文献１には、背負式肥料散布機さんすけとＯＣ−Ｈホール施肥機が市販されていることが示されている。
【０００４】
図７に、非特許文献１に開示された従来例１の「背負式肥料散布機」と「施肥機」及び作業ステップの概要を示す。図７において、７１は「施肥機」の本体部、７２は把持部、７３は先端スコップ部、７４は踏み込み部、７５は「背負式肥料散布機」の肥料タンク、７６は肥料ホース、７７は肥料用ボタン、７８は肥料注入口を示す。
【０００５】
施肥の際には、第１のステップで、把持部７２を両手で持ち、踏み込み部７４に足をかけて、先端スコップ部７３を地中に挿入する。第２のステップで、把持部７２を前方に押し倒して施肥用の穴を形成し。第３のステップで、把持部７２を手前に引いて施肥用の穴を開く。第４ステップにおいて、この状態で、肥料用ボタン７７を下方に押すと、背負式の肥料タンク７５内の粉末肥料が肥料ホース７６を介して、先端スコップ部７３の肥料注入口７８から一定量だけ、先端スコップ部７３で形成された施肥用の穴内に注入される。
【０００６】
図８に、特許文献１に開示された従来例２の「施肥具」と「肥料供給タンク装置」及び作業ステップの概要を示す。図８において、８１は「施肥具」の支柱部、８２はレバー部、８３は土掻き揚げ部、８４は連結棒、８５は踏み込み部、８６は受け皿部、８７は「肥料供給タンク装置」の肥料タンク、８８はスライド式筒部を示す。
【０００７】
支柱部８１内で、レバー部８２と土掻き揚げ部８３とは連結棒８４で連結されており、レバー部８２を操作することにより、支柱部８１の先端の土掻き揚げ部８３の開閉操作が可能である。また、支柱部８１と肥料タンク８７は別体の装置であり、肥料タンク８８からの肥料を、支柱部８１に設けられた受け皿部８６に注入して、支柱部８１内を落下させる。
【０００８】
施肥の際には、第１のステップで、支柱部８１の先端を土掻き揚げ部８３で閉じた状態で、踏み込み部８５に足をかけて、支柱部８１の先端を地中に挿入する。第２のステップで、支柱部８１全体を上方に引き抜く。第３のステップで、支柱部８１全体を上方に引き抜きながら、レバー部８２を下方に操作して、支柱部８１の先端の土掻き揚げ部８３が開いた状態となる。
第４のステップで、背負式の肥料タンク８７のホース先端のスライド式筒部８８のスライド量を調整して開口の大きさを変更し、必要な量の肥料を支柱部８１に設けられた受け皿部８６に注入する。肥料は支柱部８１内を落下して、支柱部８１の先端と土掻き揚げ部８３で形成された施肥用の穴内に注入される。
【先行技術文献】
【特許文献】
【０００９】
【特許文献１】特開平９−２８１３８号公報
【非特許文献】
【００１０】
【非特許文献１】http://www.mukai-kogyo.co.jp/c02/、向井工業株式会社、背負式肥料散布機さんすけとＯＣ−Ｈホール施肥機
【発明の概要】
【発明が解決しようとする課題】
【００１１】
非特許文献１に開示された従来例１の「背負式肥料散布機」と「施肥機」では、施肥用の穴を開けるためだけに、背負式の肥料タンク７５を背負った状態で、両手と足で、先端スコップ部７３を地中に挿入し、次に、前方に押し倒し、更に、手前に引くという３つの作業工程が必要であって作業負担が大きいという問題点があった。
【００１２】
また、肥料を注入する際には、把持部７２から手を離して肥料用ボタン７７を押す別の作業工程が必要であり、しかも、肥料の決められた一定量を、例えば、２０ｃｃから３０ｃｃに変更しようとすると、別の装置を組み合わせる必要があり、作業工程が煩雑であるという問題点があった。
【００１３】
また、特許文献１に開示された従来例２の「施肥具」と「肥料供給タンク装置」では、背負式の肥料タンク８７を背負った状態で踏み込み部８５に足をかけて先端を土中に挿入するが、土中で開口するために、土掻き揚げ部８３を開くためには、支柱部８１全体を上方に引き抜きながら、レバー部８２を下方に操作する工程が必要になり、支柱部８１全体を上方に引き抜く動作とレバー部８２を下方に操作する動作の方向が逆向きで、作業工程が複雑で作業負担が大きいという問題点があった。
【００１４】
また、肥料を注入する際には、「施肥具」の下端が開いた状態（上方に持ち上げながらレバー部を操作している状態）で、肥料タンク８７の先端のスライド式筒部８８のスライド量を調整しながら、受け皿部８６に肥料を注入する作業が必要であって、作業負担が大きいという問題点があった。
【００１５】
そこで、本発明は、上述のような問題点を解決し、農業従事者の作業負担を軽減することができ、追肥作業を効率的に行うことができる施肥装置を提供することを目的とする。
【課題を解決するための手段】
【００１６】
上記課題を解決するために、本発明の施肥装置は、本体パイプと、前記本体パイプの下端から突出し、上下方向に移動可能な先端円錐部と、前記本体パイプの上端に形成された手動操作ハンドルと、前記本体パイプに取り付けられた粉末肥料の肥料タンクと、前記肥料タンクに接続された肥料パイプと、前記肥料パイプを通過する前記粉末肥料の施肥量を調節する流量調節弁を備えており、前記手動操作ハンドルの操作により、前記先端円錐部と前記本体パイプとの間に前記粉末肥料が通過する間隙が形成され、同時に、前記流量調節弁による前記粉末肥料の施肥量の調節が行われて、前記先端円錐部により形成される追肥用円錐穴の表面に、前記先端円錐部と前記本体パイプとの間の前記間隙を介して、必要量の粉末肥料が施肥されることを特徴とする。
【発明の効果】
【００１７】
本発明によれば、施肥作業の穴開けと肥料注入の作業を片手でしかも簡単な動作で行うことができ、農業従事者の作業負担を軽減でき、追肥作業を効率的に行うことができる施肥装置を提供することができる。上記した以外の課題、構成及び効果は、以下の実施の形態の説明により明らかにされる。
【図面の簡単な説明】
【００１８】
【図１】図１は本発明の施肥装置の実施例の正面図である。
【図２】図２は本発明の施肥装置の実施例を示す図であり、図２（ａ）は左側面図、図２（ｂ）は背面図、及び図２（ｃ）は右側面図である。
【図３】図３は本発明の施肥装置の本体部を示す図であり、図３は（ａ）は外観図、図３は（ｂ）は先端円錐部が下端から突出した状態の断面図、図３は（ｃ）は、操作レバーを上方に操作して、先端円錐部が後退し肥料注入用の間隙が形成された状態を示す断面図である。
【図４】図４は本発明の施肥装置の本体部に肥料タンク部が一体に形成され、肥料の流量が調整される機構を示す図であり、図４（ａ）は先端円錐部が下端から突出した状態を示す図であり、図４（ｂ）は操作レバーを上方に操作して、流量調整弁により肥料パイプから注入される肥料の量が調整され、肥料注入用の間隙から肥料が注入される状態を示す図である。
【図５】図５は先端円錐部と流量調整弁の関係を示す拡大図であり、図５（ａ）は、先端円錐部が下端から突出し肥料の注入が停止される状態を示し、図５（ｂ）は、操作レバーを上方に操作して、先端円錐部が下端から後退して肥料注入用の間隙が形成され、同時に、流量調整弁が傾斜して肥料パイプからの肥料が間隙から注入される状態を示す図である。
【図６】図６は本発明の施肥装置を用いた施肥作業のステップを示す図である。
【図７】図７は従来例１の「背負式肥料散布機」と「施肥機」及び作業ステップの概要を示す図である。
【図８】図８は従来例２の「施肥具」と「肥料供給タンク装置」及び作業ステップの概要を示す図である。
【発明を実施するための形態】
【００１９】
以下、本発明の実施の形態について、図面に基づいて説明する。
【実施例】
【００２０】
図１は、本発明の施肥装置の実施例の正面図である。図１において、１１は本体パイプ、１２は流量調節弁、１３は肥料パイプ、１４は締付金具、１５は肥料ホース、１６は肥料タンク、１７は手動操作ハンドル、１８は肥料注入弁、１９は先端円錐部を示している。
【００２１】
図１において、本体パイプ１１の上側には、手動操作ハンドル１７が設けられ、本体パイプ１１の下側には、肥料注入弁１８が設けられている。肥料注入弁１８からは、先端円錐部１９が突出して、土中に追肥用穴を開ける先端部を形成している。
【００２２】
本体パイプ１１には、複数の締付金具１４により、肥料パイプ１３、肥料ホース１５、及び肥料タンク１６が取り付けられており、肥料タンク１６内の粉末肥料５１が、肥料ホース１５及び肥料パイプ１３を通って、流量調節弁１２により施肥量が調整され、本体パイプ１１の下側の肥料注入弁１８から土中に施肥される。
【００２３】
肥料注入弁１８から突出した先端円錐部１９は、本体パイプ１１内を上下方向に摺動可能であり、先端円錐部１９が下方に移動すると、先端円錐部１９が肥料注入弁１８から完全に突出して、先端円錐部１９の表面と肥料注入弁１８の内面が密着して、完全な円錐形状の先端部となり、この先端部を土中に突き刺して、土中に追肥用円錐穴６１を容易に形成することができる。
【００２４】
先端円錐部１９が本体パイプ１１内を上方向に摺動して、上方に移動すると、先端円錐部１９が肥料注入弁１８から後退した形となり、先端円錐部１９の表面と肥料注入弁１８の内面との間に間隙３４が形成される。この間隙３４を介して、流量調節弁１２により施肥量が調整された粉末肥料５１が、肥料注入弁１８から注入され、後退した先端円錐部１９と土中に形成された追肥用円錐穴６１との間の空間に施肥される。
【００２５】
本体パイプ１１内を上下方向に摺動可能である先端円錐部１９の移動の程度は、本体パイプ１１の上側に設けられた手動操作ハンドル１７の操作によって調整可能である。
また、同時に、肥料タンク１６内の粉末肥料５１が、肥料ホース１５及び肥料パイプ１３を通って、流量調節弁１２によって施肥量が調節される程度も、手動操作ハンドル１７の操作によって調節可能である。
【００２６】
図２は、本発明の施肥装置の実施例を示す図であり、図２（ａ）は左側面図、図２（ｂ）は背面図、及び図２（ｃ）は右側面図である。
【００２７】
図２において、２１は把持部、２２は操作レバー、２３は連結棒、２４は調整レバー、２５はストローク変換部、２６はワイヤ、２７は流量調節レバー、２８はパイプ湾曲部を示している。
【００２８】
図２（ａ）の左側面図において、本体パイプ１１上端の手動操作ハンドル１７は、把持部２１と操作レバー２２を備えている。操作レバー２２と直角に連結棒２３が設けられ、連結棒２３の先端は、先端円錐部１９と接続されている。肥料タンク１６から肥料ホース１５、肥料パイプ１３、パイプ湾曲部２８を介して施肥される粉末肥料５１の量を調節する流量調節弁１２を調整するために、ワイヤ２６を備えたストローク変換部２５が設けられている。
【００２９】
図２（ｂ）の背面図に示すように、ストローク変換部２５は、本体パイプ１１に回動可能に軸支された調整レバー２４に一対のワイヤ２６が連結され、ストローク変換部２５の上方のワイヤ２６は、本体パイプ１１の略中央に設けられたワイヤ用開口部４１を通って、本体パイプ１１内に挿入され、本体パイプ１１内で連結棒２３に接続される。また、下方のワイヤ２６は、肥料パイプ１３に設けられた流量調節弁１２から延長する流量調節レバー２７の先端に接続される。
【００３０】
図２（ｃ）の右側面図は、図２（ａ）の左側面図と同様の図面である。図２（ａ）では、肥料パイプ１３、肥料ホース１５、肥料タンク１６が手前側に配置されているのに対して、図２（ｃ）では、これらが、向こう側に配置されている点が相違する。
【００３１】
図３は、本発明の施肥装置の本体部を示す図であり、肥料パイプ１３、肥料ホース１５、肥料タンク１６、及び、ストローク変換部２５は省略されている。図３（ａ）は外観図、図３（ｂ）は先端円錐部１９が下端から突出した状態の断面図、図３（ｃ）は、レバー部を上方に操作して、先端円錐部１９が後退し肥料注入用の間隙３４が形成された状態を示す断面図である。
【００３２】
図３において、３１は上部開口部、３２はバネ部、３３は注入弁開口部、３４は間隙、３５はワイヤ連結部を示している。図３（ａ）の外観図において、注入弁開口部３３が、肥料注入弁１８の側面に設けられており、図３（ａ）には図示されていない肥料パイプ１３の下端のパイプ湾曲部２８と接続されている。
【００３３】
図３（ｂ）の断面図に示すように、本体パイプ１１の上部に上部開口部３１が設けられており、操作レバー２２と先端円錐部１９を連結する連結棒２３は、上部開口部３１の開口により支持されて本体パイプ１１内を上下方向に摺動可能である。連結棒２３と本体パイプ１１の締付金具１４との間にはバネ部３２が取り付けられており、常時は、操作レバー２２と先端円錐部１９を下方に弾性的に付勢しており、先端円錐部１９が肥料注入弁１８から完全に突出して、先端円錐部１９の表面と肥料注入弁１８の内面が密着して、完全な円錐形状の先端部となる状態を保っている。
【００３４】
図３（ｃ）の断面図に示すように、手動操作ハンドル１７の把持部２１を持ち、指先で、操作レバー２２を上方に移動させると、連結棒２３が、バネ部３２を引き延ばして上方に移動し、連結棒２３の下端に接続された先端円錐部１９を上方に移動させ、先端円錐部１９を肥料注入弁１８から後退させて、先端円錐部１９の表面と肥料注入弁１８の内面との間に間隙３４を形成し、同時に、連結棒２３に設けられたワイヤ連結部３５を上方に移動させる。
【００３５】
手動操作ハンドル１７の把持部２１を持ち、指先での操作レバー２２の操作により、先端円錐部１９の表面と肥料注入弁１８の内面との間に間隙３４の大きさを精度よく操作し、同時に、連結棒２３に設けられたワイヤ連結部３５の上方への移動を操作し、ストローク変換部２５を介して、施肥量を精度よく調整した粉末肥料５１を、肥料注入弁１８の側面の注入弁開口部３３から間隙３４を介して土中に施肥する。
【００３６】
図４は、本発明の施肥装置の本体部に肥料タンク１部が一体に形成され、粉末肥料５１の流量が調節される機構を示す図であり、図４（ａ）は先端円錐部１９が下端から突出した状態を示す図であり、図４（ｂ）は操作レバー２２を上方に操作して、流量調節弁１２により肥料パイプ１３から注入される粉末肥料５１の量が調整され、肥料注入用の間隙３４から粉末肥料５１が注入される状態を示す図である。
【００３７】
図４おいて、４１はワイヤ用開口部、４２は締付金具開口を示している。図４（ａ）は、先端円錐部１９が下端から突出した通常の状態を示している。図４（ａ）に示すように、ストローク変換部２５の調整レバー２４に連結された上方のワイヤ２６は、本体パイプ１１の締付金具１４に設けられた締付金具開口４２を通り、本体パイプ１１に設けられたワイヤ用開口部４１を通って、本体パイプ１１に入り、連結棒２３のワイヤ連結部３５に接続されている。また、ストローク変換部２５の調整レバー２４に連結された下方のワイヤ２６は、本体パイプ１１の締付金具１４に設けられた締付金具開口４２を通り、流量調節弁１２から延長する流量調節レバー２７に接続されている。
【００３８】
図４（ｂ）に示すように、本体パイプ１１の上端に設けられた手動操作ハンドル１７の操作レバー２２を上方に操作すると、ストローク変換部２５の調整レバー２４に連結された上方のワイヤ２６が上方に引っ張られ、本体パイプ１１に回動可能に軸支された調整レバー２４が、回転軸中心に左方向に回転し、ストローク変換部２５の調整レバー２４に連結された下方のワイヤ２６が下方に押し下げられ、流量調節弁１２から延長する流量調節レバー２７の先端を下方に押し下げて、肥料パイプ１３内に設けられた流量調節弁１２を左方向に回転して流路の大きさを変更して、肥料パイプ１３内を流下する粉末肥料５１の施肥量を調整する。
【００３９】
ストローク変換部２５では、調整レバー２４を軸支する回転軸の位置の調整、上方のワイヤ２６及び下方のワイヤ２６と連結する調整レバー２４の接続点の位置の調整、あるいは、下方のワイヤ２６を接続する流量調節弁１２から延長した流量調節レバー２７の接続点の位置の調整を行うことにより、操作レバー２２の操作量と、流量調節弁１２の弁の回転量の大きさの関係を調整することができ、操作レバー２２の操作に応じた間隙３４の大きさと、間隙３４を通過する粉末肥料の施肥量との関係を適正に調整することができる。
【００４０】
図５は、先端円錐部１９と流量調節弁１２の関係を示す拡大図である。図５（ａ）は、先端円錐部１９が下端から突出し、肥料の注入が停止される状態の拡大図であり、図５（ｂ）は、操作レバー２２を上方に操作して、先端円錐部１９が下端から後退して、肥料注入用の間隙３４が形成され、同時に、流量調節弁１２が傾斜して肥料パイプ１３からの粉末肥料５１の量が調節されて間隙３４から注入される状態を示す図である。
【００４１】
図５において、５１は粉末肥料を示している。図５（ａ）では、先端円錐部１９に連結された連結棒２３が、本体パイプ１１内のバネ部３２の弾性により下方に付勢され、先端円錐部１９が肥料注入弁１８から完全に突出して、先端円錐部１９の表面と肥料注入弁１８の内面が密着して、完全な円錐形状の先端部となる状態を保っている。
【００４２】
この時、流量調節弁１２から延長する流量調節レバー２７がほぼ水平に維持され、肥料パイプ１３内の通路は、流量調節弁１２により閉鎖され、粉末肥料５１の落下が阻止される。この状態で、本体パイプ１１と肥料タンク１６を含む施肥装置の把持部２１を土中に押し込むことにより、先端円錐部１９の表面と肥料注入弁１８の表面により、追肥用円錐穴６１が形成される。
【００４３】
次いで、先端円錐部１９を土中に挿入したまま、図５（ｂ）に示すように、操作レバー２２を上方に操作すると、先端円錐部１９が下端から後退して、肥料注入用の間隙３４が形成され、同時に、流量調節弁１２が傾斜して肥料パイプ１３からの粉末肥料５１が、流量調節弁１２と肥料パイプ１３との間を通過する。流量調節弁１２と肥料パイプ１３との間を通過して流量が調節された粉末肥料５１は、肥料パイプ１３の下端のパイプ湾曲部２８、肥料注入弁１８の側面の注入弁開口部３３を通り、先端円錐部１９の表面と肥料注入弁１８の内面との間の間隙３４を通って、追肥用円錐穴６１内に施肥される。
【００４４】
図６は、本発明の施肥装置を用いた施肥の作業のステップを示す図である。図６において、６１は追肥用円錐穴、６２は円錐穴表面の施肥後の粉末肥料を示している。
【００４５】
図６の第１のステップにおいて、施肥装置の土への挿入を行う。施肥装置の本体パイプ１１の上端に形成された手動操作ハンドル１７の把持部２１を手で持って、施肥装置全体を土中に押し込んで先端円錐部１９を土中に挿入し、追肥用円錐穴６１を形成する。
【００４６】
図６の第２のステップにおいて、手動操作ハンドル１７の把持部２１を持った手の指先で、操作レバー２２を上方に移動させると、指先の操作量に応じて、先端円錐部１９と肥料注入弁１８の内面との間の間隙３４が形成され、同時に、肥料パイプ１３を通る粉末肥料５１の量が調節されて、追肥用円錐穴６１の表面に、必要な量の粉末肥料５１が施肥される。
【００４７】
本発明では、施肥装置の把持部２１を手で持って円錐先端部１９を土中に押し込む第１のステップと、指先で操作レバー２２を引き上げる第２のステップの２つの操作のみで、粉末肥料５１の施肥作業を行うことができ、追肥作業の作業負担を大幅に軽減することができる。
【００４８】
本発明は、図７の従来例１の施肥装置が、第１のステップ（把持部７２を両手で持ち、踏み込み部７４に足をかけて、先端スコップ部７３を地中に挿入）、第２のステップ（把持部７２を前方に押し倒して施肥用の穴を形成）、第３のステップ（把持部７２を手前に引いて施肥用の穴を開く）、第４ステップ（肥料用ボタン７７を下方に押して粉末肥料を注入）を多くのステップを要するのと比較して、農業従事者の作業負担を大幅に軽減でき、追肥作業を効率的に行うことができる。
【００４９】
また、本発明は、図８の従来例２の施肥装置が、第１のステップ（支柱部８１の先端を土掻き揚げ部８３で閉じ踏み込み部８５に足をかけて、支柱部８１の先端を地中に挿入）、第２のステップ（支柱部８１全体を上方に引き抜く）、３のステップ（支柱部８１全体を上方に引き抜きながら、レバー部８２を下方に操作して、支柱部８１の先端の土掻き揚げ部８３を開く）、第４のステップ（背負式の肥料タンク８７のホース先端の受け皿部８６はスライド式筒部８８のスライド量を調整して注入）の多くのステップを要するのと比較して、農業従事者の作業負担を大幅に軽減でき、追肥作業を効率的に行うことができる。
【００５０】
なお、本発明は上記した実施例に限定されるものではなく、様々な変形例が含まれる。例えば、上記した実施例は本発明を分りやすく説明するために詳細に説明したものであり、必ずしも説明した全ての構成を備えるものに限定されるものではない。
【００５１】
また、実施例の構成の一部を他の構成に置き換えることが可能であり、また、実施例の構成に他の構成を加えることも可能である。また、実施例の構成の一部について、他の構成の追加・削除・置換をすることが可能である。
【符号の説明】
【００５２】
１１  本体パイプ
１２  流量調節弁
１３  肥料パイプ
１４  締付金具
１５  肥料ホース
１６  肥料タンク
１７  手動操作ハンドル
１８  肥料注入弁
１９  先端円錐部
２１  把持部
２２  操作レバー
２３  連結棒
２４  調整レバー
２５  ストローク変換部
２６  ワイヤ
２７  流量調節レバー
２８  パイプ湾曲部
３１  上部開口部
３２  バネ部
３３  注入弁開口部
３４  間隙
３５  ワイヤ連結部
４１  ワイヤ用開口部
４２  締付金具開口
５１  粉末肥料
６１  追肥用円錐穴
６２  円錐穴表面の施肥後の粉末肥料
７１  本体部
７２  把持部
７３  先端スコップ部
７４  踏み込み部
７５  肥料タンク
７６  肥料ホース
７７  肥料用ボタン
７８  肥料注入口
８１  支柱部
８２  レバー部
８３  土掻き揚げ部
８４  連結棒
８５  踏み込み部
８６  受け皿部
８７  肥料タンク
８８  スライド式筒部
【図１】
2014230496.tif 000003
【図２】
2014230496.tif 000004
【図３】
2014230496.tif 000005
【図４】
2014230496.tif 000006
【図５】
2014230496.tif 000007
【図６】
2014230496.tif 000008
【図７】
2014230496.tif 000009
【図８】
2014230496.tif 000010